(57)【特許請求の範囲】
【請求項１】
液状化粧料（Ｋ）を収納し、コンパクト容器のケース本体（２）に着脱自在に組付けられるレフィール容器であって、レフィール本体（１８）と、化粧料を収納すべく有頂短筒状に形成され、その下端部がレフィール本体（１８）に固定された合成樹脂フィルム製の内容器（２６）と、該内容器（２６）の頂壁（２６ａ）の上位に配設されたメッシュ体（２７）と、前記レフィール本体（１８）に一体にヒンジ結合したレフィール蓋（２９）とから構成し、前記内容器（２６）の頂壁（２６ａ）に、多数の曲った形状の注出スリット（３５）を開設して成るレフィール容器。
【請求項２】
注出スリット（３５）を、略Ｕ字状に形成した請求項１記載のレフィール容器。
【請求項３】
頂壁（２６ａ）の中央部に、略Ｕ字状のスリット（３５）と略Ｓ字状のスリット（３５）とを混在させて配設し、周辺部に略Ｕ字状のスリット（３５）を配設した請求項１記載のレフィール容器。
【請求項４】
注出スリット（３５）を、略Ｖ字状に形成した請求項１記載のレフィール容器。
【請求項５】
注出スリット（３５）を、頂壁（２６ａ）の中央部に密に、周辺部に粗の状態に配設し、前記周辺部に配設した注出スリット（３５）を、該注出スリット（３５）の内側片が頂壁（２６ａ）の中央部に向う姿勢とした請求項１、２、３または４記載のレフィール容器。
【発明の詳細な説明】
【０００１】
【発明の属する技術分野】
本発明は、液状化粧料等を収納し、コンパクト容器のケースにカセット状に着脱自在に組付けて使用されるレフィール容器に関するものである。
【０００２】
【従来の技術】
液状化粧料を収納し、コンパクト容器等に装着されて使用される化粧料容器として、特開平１０−１７９２４５号公報に開示されたものが知られている。
【０００３】
この従来技術に示された化粧料容器は、液状化粧料を収納する容器の開口面を合成樹脂フィルムで封止すると共に、このフィルムの表面にメッシュ体を取り付け、かつこのフィルムに、小孔、直線状のスリットあるいは十字状のスリット等の化粧料流出部を設けて構成されている。
【０００４】
そして、使用に際しては、パフ等でメッシュ体を押圧することにより、化粧料をフィルムの流出部から注出させ、これをパフ等ですくいとって使用するようになっている。
【０００５】
【発明が解決しようとする課題】
しかしながら、上記した従来技術にあっては、小孔、直線状スリット、あるいは十字状スリット等から構成される流出部からの化粧料注出量が、いずれの場合も少ないため、充分な化粧料注出量をスムーズに得ることができない、と云う問題があった。
【０００６】
そこで、本発明は、上記した従来技術における問題点を解消すべく創案されたもので、レフィール容器内に収納されている化粧料の気密性をできるだけ保持可能な形態で、使用時における化粧料注出量を多くすることを技術的課題とし、もって必要かつ充分な注出量を速やかにかつスムーズに得ることを目的とする。
【０００７】
【課題を解決するための手段】
上記技術的課題を解決する本発明の内、請求項１記載の発明の手段は、
液状化粧料を収納し、コンパクト容器のケース本体に着脱自在に組付けられるレフィール容器であること、
レフィール本体と、化粧料を収納すべく有頂短筒状に形成され、その下端部がレフィール本体に固定された合成樹脂フィルム製の内容器と、この内容器の頂壁の上位に配設されたメッシュ体と、レフィール本体に一体にヒンジ統合したレフィール蓋とから構成すること、
内容器の頂壁に、多数の曲った形状の注出スリットを開設すること、
にある。
【０００８】
コンパクト容器の使用にあたって、パフ等によりメッシュ体を介して内容器の頂壁を下方へ押圧すると、曲った形状の注出スリットの内側片が、化粧料で押されて上方へ開き大きく開口するため、必要かつ充分な量の化粧料がこの開口部から押し出されてメッシュ体の上面に注出する。
【０００９】
請求項２記載の発明は、請求項１記載の発明に、注出スリットを、略Ｕ字状に形成した、ことを加えたものである。
【００１０】
この請求項２記載の発明にあっては、略Ｕ字状の注出スリットにより、この注出スリットの内側片は舌片状となり、それゆえこの舌片状内側片の上方への湾曲変形が無理なく安定して行われると共に、大きな開口面積の開口部が確実に形成される。
【００１１】
請求項３記載の発明は、請求項１記載の発明に、内容器の頂壁の中央部に、略Ｕ字状のスリットと略Ｓ字状のスリットとを混在させて配設し、周辺部に略Ｕ字状のスリットを配設した、ことを加えたものである。
【００１２】
この請求項３記載の発明にあっては、請求項２記載の発明と同様に、略Ｕ字状および略Ｓ字状の注出スリットにより、注出スリットの内側片が舌片状となり、これにより舌片状内側片の上方への湾曲変形が無理なく安定して行われるので、大きな開口部を確実に得ることができる。
【００１３】
また、内容器の頂壁の中央部においては、略Ｓ字状のスリットが略Ｕ字状のスリットと混在しており、この略Ｓ字状のスリットは、内側片が反対向きとなっているので、相互に反対方向に開口して、その開口方向が特定されないので、化粧料の注出方向に偏りがなく、注出スリットの配置に略正確に対応した化粧料の注出形態を得ることができる。
【００１４】
請求項４記載の発明は、請求項１記載の発明に、注出スリットを、略Ｖ字状に形成した、ことを加えたものである。
【００１５】
この請求項４記載の発明にあっては、請求項２記載の発明と同様に、略Ｖ字状の注出スリットにより、この注出スリットの内側片は嘴片状となり、それゆえこの嘴片状内側片の上方への湾曲変形が無理なく安定して行われると共に、大きな開口面積の開口部が確実に形成される。
【００１６】
請求項５記載の発明は、請求項１記載の発明に、注出スリットを、内容器の頂壁の中央部に密に、周辺部に粗の状態に配設し、周辺部に配設した注出スリットを、この注出スリットの内側片が頂壁の中央部に向う姿勢とした、ことを加えたものである。
【００１７】
この請求項５記載の発明にあっては、化粧料がメッシュ体の上面の中央部に多く、周辺部に少なく注出されるため、パフ等ですくった際に、化粧料がレフィール本体の周縁から落下してコンパクト容器や周囲を汚すことが防止される。
【００１８】
【発明の実施の形態】
以下、本発明の実施例を、図面を参照しながら説明する。
図１〜図７は第一実施例を示したもので、コンパクト容器は、化粧料Ｋを開閉自在に、かつ塗布使用し易い状態で密に収納保持するレフィール容器１７を、鏡１６を固着したケース１に着脱自在（図１参照）に組合せて構成され、ケース１は、レフィール容器１７を着脱自在に組付けるケース本体２とケース蓋１１とを蝶番結合して構成され、レフィール容器１７は、レフィール本体１８とレフィール蓋２９とを、一体にヒンジ結合して構成されている。
【００１９】
ケース１のケース本体２は、上下に開放した中央空間部をレフィール容器１７の収納部としたリング構造をしており、内周面下端に、組付けたレフィール容器１７の下方への抜け出しを阻止する底内鍔片３を周設し、前端部に開閉係止機能部Ｌの開閉用凹部４を、後端部に蝶番凹部７を、そして左右両側上面にレフィール容器１７組付け用に装着用欠部８を設け、さらに内周面に、組付き係止機能部Ｍの組付け係止片９を、斜め左右前後の４箇所に、平面形状の中心点に関して点対称に配置すると共に、外れ防止係止機能部Ｎの外れ防止係止突片１０を、組付け係止片９よりも前側の２箇所に左右対象に配置して設けて構成されている。
【００２０】
ケース１のケース蓋１１は、全体形状が伏した薄皿構造をしていて、前端部に開閉係止機能部Ｌの開閉係止片１２を、また後端部に蝶番片１３をそれぞれ垂下設し、粘着固定した鏡１６を避けた内面箇所に４つの押圧突片１４を、中心点に関して点対称に垂下設し、また左右両側端に引っ掛け片１５を左右対称に垂下設して構成されている。
【００２１】
レフィール容器１７のレフィール本体１８は、レフィール底体２４および内容器２６との組合せにより化粧料Ｋの収納部を構成し、レフィール本体１８とレフィール底体２４との組合せ物の外周面には、組付き係止機能部Ｍの組付き係止片２２を、斜め前後左右の４箇所に、中心点に関して点対称に設け、また外れ防止係止機能部Ｎの外れ防止凹部２３を、前後端部の左右端の４箇所に、中心点に関して点対称に設けており、ヒンジ３４を装着用欠部８内に位置させた状態で、レフィール底体２４の下面周端部をケース本体２の底内鍔片３に上方から係止させることにより、ケース本体２の収納部に下方へ抜け出し不能に嵌入組付きする。
【００２２】
このレフィール本体１８は、図３に示すように、リング状をした本体部分の上面内周端から口鍔筒片１９を立設すると共に、この口鍔筒片１９の外側に係止筒片２０を立設し、また本体部分の下面に嵌合筒片２１を垂下設して構成され、嵌合筒片２１を間に強固に嵌合する嵌着筒片２５（図示実施例の場合は、嵌合筒片２１を間に強固に嵌合させる二重筒構造となっている）を平板体の上面周端に立設したレフィール底体２４との組付きにより、有頂短筒状に構成された合成樹脂フィルム製の内容器２６の筒壁下端部を、嵌合筒片２１と嵌着筒片２５との間に強固に挟持し、この内容器２６の挟持組付けにより、内容器２６とレフィール底体２４との組合せ物内に化粧料Ｋを収容した状態で組立てられる。
【００２３】
レフィール容器１７のレフィール蓋２９は、平板状本体部分の周端縁に、レフィール本体１８の係止筒片２０に外嵌係合する係合筒片３１を、またこの係合筒片３１の内側の下面部分に、レフィール本体１８の口鍔筒片１９に密嵌合するシール筒片３０をそれぞれ垂下設し、さらに係合筒片３１の一部を上方に延長させた形態で、４つの受け突片３２（図１および図４参照）を、押圧突片１４に対向して起立設し、引っ掛かり片３３（図１および図３参照）を、ヒンジ３４とは反対の側端部に起立設して構成され、係合筒片３１の側端下端部をレフィール本体１８にヒンジ３４（図３参照）で一体結合して構成される。
【００２４】
レフィール蓋２９は、シール筒片３０をレフィール本体１８の口鍔筒片１９に密嵌合させることにより、レフィール本体１８の開口部を密閉するが、このシール筒片３０の口鍔筒片１９への密嵌合は、レフィール本体１８の係止筒片２０とレフィール蓋２９の係合筒片３１との嵌合組付きを、両側方部（一方側にヒンジ３４が位置している、図３参照）と前後両部とを係止させることにより維持して確保され、この係止筒片２０と係止筒片３１との係止は、４つの係止部の間に位置する受け突片３２に対するケース蓋１１の押圧突片１４の押圧により確保される。
【００２５】
レフィール蓋２９の引っ掛かり片３３は、ヒンジ３４とは反対の側方箇所に位置しているので、ケース１の閉状態では、ケース蓋１１の引っ掛け片１５が下方から対向し、ケース蓋１１を開放回動させると、このケース蓋１１の引っ掛け片１５が引っ掛かり片３３に下方から引っ掛かって上方に引き上げるので、ケース蓋１１の開放と一緒にレフィール容器１７の開放が達成されることになるが、この動作は、引っ掛け片１５が左右両側に対称に設けられていることから、ケースに対するレフィール容器１７の組み付け姿勢を左右反転させても同じとなる。
【００２６】
蝶番凹部７に蝶番片１３を嵌合させて蝶番軸により蝶番結合されてケース本体２とケース蓋１１の先端間に形成された開閉係止機能部Ｌ（図１参照）は、ケース本体２の前端部に形成した開閉用凹部４の底面に設けた係止突片５と、ケース蓋１１の前端部に垂下状に設けた開閉係止１２を主体として構成され、開閉用凹部４内に前後変位可能に組み付けられた開閉駒片６の、押圧されることによる後退変位を利用して、係止突片５と開閉係止片１２との係止を解除するようにしている。
【００２７】
レフィール容器１７は、レフィール本体１８に対するレフィール底体２４の嵌合組付けにより、内容器２６の組付けと同時に化粧料Ｋの収納を達成するが、化粧料Ｋを直接収納している内容器２６のスリット３５を開設した頂壁２６ａの上位には、化粧料Ｋの注出形態を適正に制御するメッシュ体２７が設けられており、さらに口鍔筒片１９の上周面には、化粧料Ｋの密封収納を強固にかつ確実に達成するための剥離自在な密閉シート２８が取り付けられている。
【００２８】
化粧料Ｋを収納したレフィール容器１７は、その引っ掛かり片３３およびヒンジ３４を装着用欠部８に対向させた姿勢で、組付き係止機能部Ｍによりケース本体２に組付け保持される。
【００２９】
なお、コンパクト容器の閉姿勢状態で、ケース蓋１１の押圧突片１４との突き当りにより、ケース１の開閉係止機能部Ｌの閉鎖保持力を利用してレフィール容器１７の閉状態を確保する受け突片３２は、ケース蓋１１とレフィール蓋２９との間に、パフＰを安定して収納できるパフ収納部を形成している。
【００３０】
内容器２６の注出スリット３５は、図７（Ａ）に示すように略Ｕ字状（半円弧状）に形成されており、かつ頂壁２６ａの中央部に密に、周辺部に粗の状態に配設されている。
【００３１】
図７（Ｂ）はその注出形態を示したもので、パフ等による押圧により、スリット３５の内側片３６が円滑に上方へ湾曲変形して大きく開口し、もって充分な量の化粧料Ｋ（斜線部分）が押し出されて注出する。
【００３２】
図８は第２実施例を示したもので、頂壁２６ａの中央部に、略Ｕ字状のスリット３５と略Ｓ字状のスリット３５とを混在させて配設すると共に、略Ｕ字状のスリット３５を配設し、これにより、中央部の注出量がより多くなるように構成したものである（図８（Ｂ）参照）。
【００３３】
図９は第３実施例を示したもので、注出スリット３５を略Ｖ字状に形成すると共に、頂壁２６ａの中央部に密に、周辺部に粗に配設したものである。
【００３４】
【発明の効果】
本発明は、上記した構成となっているので、以下に示す効果を奏する。
コンパクト容器の使用にあたって、パフ等によりメッシュ体を介して内容器の頂壁を下方へ押圧すると、曲った形状の各注出スリットの内側片が、収納されている化粧料で押されて上方へ開き大きく開口するため、必要かつ充分な量の化粧料が、この大きな開口部から速やかにかつスムーズに押し出されてメッシュ体の上面に注出し、使用に供される。
【００３５】
また、注出スリットは、使用時、すなわちパフ等による押圧時のみ、その曲がった形状の内側片が上方へ開いて大きく開口するように形成されているので、不使用時における化粧料の気密性は、良好に保持される。
【００３６】
請求項２ないし４記載の発明にあっては、略Ｕ字状、略Ｓ字状、さらには略Ｖ字状の注出スリットにより、この注出スリットの内側片を舌片状とし、もって舌片状内側片の上方への湾曲変形が無理なく安定して行わせることにより、良好な開閉動作を得ることができると共に、大きな開口面積の開口部が確実に形成することができる。
【００３７】
請求項５記載の発明にあっては、化粧料がメッシュ体の上面の中央部に多く、周辺部に少なく注出されるため、パフ等ですくった際に、化粧料がレフィール本体の周縁から落下してコンパクト容器や周囲を汚すことが防止され、もってこの種のコンパクト容器の良好な使用状況を得ることができる。
【図面の簡単な説明】
【図１】本発明の第一実施例を示す、コンパクト容器のケースと分離させた状態での斜視図。
【図２】図１に示した実施例の、組付き状態での平面図。
【図３】図１に示した実施例の、ケース閉状態での縦断正面図。
【図４】図１に示した実施例の、レフィール容器の正面図。
【図５】図１に示した実施例の、レフィール容器の開蓋状態での一部破断した平面図。
【図６】図１に示した実施例における、内容器の正面図。
【図７】図１に示した実施例における内容器の、（Ａ）は平面図、（Ｂ）は注出形態を示す平面図。
【図８】第二実施例を示す、（Ａ）は内容器の平面図、（Ｂ）はその注出形態を示す平面図。
【図９】第三実施例を示す、（Ａ）は内容器の平面図、（Ｂ）はその注出形態を示す平面図。
【符号の説明】
１    ；  ケース
２    ；  ケース本体
３    ；  底内鍔片
４    ；  開閉用凹部
５    ；  係止突片
６    ；  開放駒片
７    ；  蝶番凹部
８    ；  装着用欠部
９    ；  組付け係止片
１０  ；  外れ防止係止突片
１１  ；  ケース蓋
１２  ；  開閉係止片
１３  ；  蝶番片
１４  ；  押圧突片
１５  ；  引っ掛け片
１６  ；  鏡
１７  ；  レフィール容器
１８  ；  レフィール本体
１９  ；  口鍔筒片
２０  ；  係止筒片
２１  ；  嵌合筒片
２２  ；  組付き係止片
２３  ；  外れ防止凹部
２４  ；  レフィール底体
２５  ；  嵌着筒片
２６  ；  内容器
２６ａ；  頂壁
２７  ；  メッシュ体
２８  ；  密封シート
２９  ；  レフィール蓋
３０  ；  シール筒片
３１  ；  係合筒片
３２  ；  受け突片
３３  ；  引っ掛かり片
３４  ；  ヒンジ
３５  ；  注出スリット
３６  ；  内側片
Ｋ    ；  化粧料
Ｐ    ；  パフ
Ｌ    ；  開閉係止機能部
Ｍ    ；  組付き係止機能部
Ｎ    ；  外れ防止係止機能部
【図１】
0004626864.tif 000002
【図２】
0004626864.tif 000003
【図３】
0004626864.tif 000004
【図４】
0004626864.tif 000005
【図５】
0004626864.tif 000006
【図６】
0004626864.tif 000007
【図７】
0004626864.tif 000008
【図８】
0004626864.tif 000009
【図９】
0004626864.tif 000010